(57)【要約】  表示基板及び表示装置である。該表示基板は、第１サブピクセル（１１１）、第２サブピクセル（１１２）、及び第１スペーサ（０１０１）を備え、前記第１サブピクセル（１１１）の中心（Ｃ１）と前記第２サブピクセル（１１２）の中心（Ｃ２）の連結線は中心連結線（ＣＬ１）であり、前記中心連結線（ＣＬ１）は第１方向（Ｘ）に垂直ではなく、前記第１方向（Ｘ）は行方向又は列方向の少なくとも一方であり、第１スペーサ（０１０１）は、第１サブピクセル（１１１）と第２サブピクセル（１１２）との間に設置され、且つ第１サブピクセル（１１１）と第２サブピクセル（１１２）との間にある第１スペーサ（０１０１）の延設方向（Ｅ０１）は第１方向（Ｘ）に垂直ではない。それにより、該表示基板は、異なる視角での色かぶりを改善して、表示品質を向上させることができる。
2021513094.tif 000002
【特許請求の範囲】
【請求項１】
第１サブピクセル、第２サブピクセル、及び第１スペーサを備える表示基板であって、
前記第１サブピクセルの中心と前記第２サブピクセルの中心の連結線は中心連結線であり、前記中心連結線は第１方向に垂直ではなく、前記第１方向は行方向又は列方向の少なくとも一方であり、
前記第１スペーサは、前記第１サブピクセルと前記第２サブピクセルとの間に設置され、且つ前記第１サブピクセルと第２サブピクセルとの間にある前記第１スペーサの延設方向は前記第１方向に垂直ではない表示基板。
【請求項２】
前記第１スペーサの延設方向は、前記第１方向とは、４０°〜５０°又は１３０°〜１４０°範囲の夾角を有する請求項１に記載の表示基板。
【請求項３】
前記夾角は４５°又は１３５°である請求項２に記載の表示基板。
【請求項４】
前記中心連結線は前記第１方向と平行ではない請求項１から３のいずれか一項に記載の表示基板。
【請求項５】
前記表示基板は、それぞれ第１サブピクセル、第２サブピクセル、第３サブピクセル、及び第４サブピクセルを有する複数のピクセルグループを含み、前記第１スペーサは、異なるピクセルグループに属する第１サブピクセルと第２サブピクセルの間に位置する請求項１から４のいずれか一項に記載の表示基板。
【請求項６】
前記ピクセルグループにおいて、前記第２サブピクセルの中心と前記第３サブピクセルの中心の連結線は第１線分であり、前記第１サブピクセルと前記第４サブピクセルは、前記第２サブピクセルと前記第３サブピクセルとの間に位置して、それぞれ前記第１線分の両側に設けられ、前記第１サブピクセルの中心と前記第４サブピクセルの中心の連結線は、長さが前記第１線分の長さよりも小さい第２線分である請求項５に記載の表示基板。
【請求項７】
前記第２線分の長さと前記第１線分の長さの比は３／４以下である請求項６に記載の表示基板。
【請求項８】
第２スペーサをさらに備え、前記第２スペーサは、隣接するピクセルグループの間に位置し、異なるピクセルグループの第４サブピクセルと第２サブピクセルとの間又は異なるピクセルグループの第４サブピクセルと第３サブピクセルとの間に設置され、前記第４サブピクセルと前記第２サブピクセルとの間又は前記第４サブピクセルと前記第３サブピクセルとの間にある前記第２スペーサの延設方向は前記第１方向に垂直ではない請求項６に記載の表示基板。
【請求項９】
前記第１スペーサは、隣接するピクセルグループの第１サブピクセルと第２サブピクセルとの間に設置され、及び／又は、隣接するピクセルグループの第１サブピクセルと第４サブピクセルとの間に設置される請求項５から８のいずれか一項に記載の表示基板。
【請求項１０】
前記第２サブピクセル又は前記第４サブピクセルの周囲に位置する前記第１スペーサは第２スペーサとスペーサペアを形成し、前記スペーサペアにおける第１スペーサと第２スペーサは、前記第２サブピクセル又は前記第３サブピクセルの同じ側に位置する請求項９に記載の表示基板。
【請求項１１】
同じピクセルグルーにおいて、前記第１サブピクセル、前記第２サブピクセル、前記第３サブピクセル及び前記第４サブピクセルの間にはスペーサが設置されない請求項５から８のいずれか一項に記載の表示基板。
【請求項１２】
前記ピクセルグループにおいて、前記第１サブピクセルと前記第４サブピクセルはいずれも長尺状であり、前記第１サブピクセルの延設方向は前記第４サブピクセルの延設方向と重ならない請求項５から８のいずれか一項に記載の表示基板。
【請求項１３】
前記第１サブピクセルの延設方向と前記第４サブピクセルの延設方向の夾角は７０°〜１００°である請求項１２に記載の表示基板。
【請求項１４】
前記第１サブピクセルと前記第４サブピクセルは、第１線分に対して対称的に配列され、及び／又は、前記第２サブピクセルと前記第３サブピクセルは、第２線分に対して対称的に配列される請求項１２に記載の表示基板。
【請求項１５】
前記第１線分は前記第１方向に延設され、前記第２線分は第２方向に延設され、
前記複数のピクセルグループはアレイ状に配列されて、複数の行と複数の列を形成し、偶数行のピクセルグループと奇数行のピクセルグループがずらして配置され、
前記第１方向の隣接する２つのピクセルグループにおける隣接する第２サブピクセルと第３サブピクセルの中心連結線の長さは、前記第１線分の長さよりも小さく、
隣接する奇数行又は隣接する偶数行において、前記第２方向の隣接する２つのピクセルグループにおける隣接する第１サブピクセルと第４サブピクセルの中心連結線の長さは、前記第２線分の長さよりも大きい、請求項６に記載の表示基板。
【請求項１６】
各ピクセルグループの前記第２線分の延長線は、第２方向において該ピクセルグループに隣接し且つ同じ行にある２つのピクセルグループの中心連結線の中点を通る請求項１５に記載の表示基板。
【請求項１７】
隣接する奇数行又は隣接する偶数行において、第２方向に配列された隣接する２つのピクセルグループにおける２つの第３サブピクセルの中心連結線と、該２つの第３サブピクセルの間に位置するピクセルグループにおける第１線分との交点は、該第１線分の中心と第２サブピクセルの中心との間に位置する請求項１３に記載の表示基板。
【請求項１８】
前記第１サブピクセルと前記第４サブピクセルの少なくとも一方は、人間の目にとって敏感な色のサブピクセルである、請求項５から１７のいずれか一項に記載の表示基板。
【請求項１９】
前記第１方向において、前記第１サブピクセル、前記第２サブピクセル、前記第３サブピクセル、及び前記第４サブピクセルの幅は同じである、請求項５から１７のいずれか一項に記載の表示基板。
【請求項２０】
前記第１線分は前記第１方向に延設され、前記第２線分は第２方向に延設され、前記第１スペーサと前記第２スペーサは短冊形であり、前記短冊形の延設方向は、前記第１方向及び前記第２方向の両方と異なる、請求項８に記載の表示基板。
【請求項２１】
前記第１スペーサと前記第２スペーサの少なくとも一方は、前記第１サブピクセルと前記第３サブピクセルとの中心連結線と重ならない、請求項８に記載の表示基板。
【請求項２２】
前記第１線分は前記第１方向に延設され、前記第２線分は第２方向に延設され、前記第１方向に沿った直線での前記第１スペーサの正投影は、前記第１方向に沿った直線での前記第２サブピクセルと前記第３サブピクセルの少なくとも一方の正投影と重ならず又は部分的に重なる、請求項８に記載の表示基板。
【請求項２３】
前記第１スペーサと前記第２スペーサの数の合計とサブピクセルの数の比は０．３〜１であり、前記サブピクセルは、前記第１サブピクセル、前記第２サブピクセル、前記第３サブピクセル、及び前記第４サブピクセルを含む、請求項８に記載の表示基板。
【請求項２４】
前記第１スペーサと前記第２スペーサは、いずれも透明なスペーサである、請求項８に記載の表示基板。
【請求項２５】
表示基板であって、
複数のピクセルグループを備え、各ピクセルグループは、第１サブピクセル、第２サブピクセル、第３サブピクセル、及び第４サブピクセルを含み、前記ピクセルグループにおいて、前記第２サブピクセルの中心と前記第３サブピクセルの中心の連結線は第１線分であり、前記第１サブピクセルと前記第４サブピクセルは、前記第２サブピクセルと前記第３サブピクセルとの間に位置して、それぞれ前記第１線分の両側に設けられ、前記第１サブピクセルの中心と前記第４サブピクセルの中心の連結線は、長さが前記第１線分の長さよりも小さい第２線分であるピクセル配列構造を備え、
前記表示基板は、
隣接するピクセルグループにおける隣接する第１サブピクセルと第２サブピクセルの間に位置する第１スペーサと、
隣接するピクセルグループにおける隣接する第４サブピクセルと第２サブピクセルの間に位置する第２スペーサと、
前記ピクセルグループにおける第１サブピクセルと第４サブピクセルの間に位置する第３スペーサとの少なくとも１つをさらに備える表示基板。
【請求項２６】
前記複数のピクセルグループはアレイ状に配列されて、複数の行と複数の列を形成し、偶数行のピクセルグループと奇数行のピクセルグループがずらして配置される、請求項２５に記載の表示基板。
【請求項２７】
前記偶数行のピクセルグループと前記奇数行のピクセルグループは、行方向である第１方向において、第１方向におけるピクセルグループの半分の長さだけずれている、請求項２６に記載の表示基板。
【請求項２８】
請求項１から２７のいずれか一項に記載の表示基板を備える表示装置。
【発明の詳細な説明】
【技術分野】
【０００１】
本特許出願は、２０１８年２月９日に提出された中国特許出願第２０１８１０１３５９４８．６号の優先権を主張し、上記中国特許出願で開示される全内容は本開示の実施例の一部として援用されている。
【０００２】
本開示の実施例は、表示基板及び表示装置に関する。
【背景技術】
【０００３】
表示技術の継続的な発展に伴って、表示装置の解像度に対する要求がますます高まっている。表示品質が高い等の利点を有するため、高解像度表示装置の応用範囲もますます広がっている。通常、ピクセルのサイズ及びピクセル間の間隔を縮小することにより、表示装置の解像度を高めることができる。しかしながら、ピクセルのサイズ及びピクセル間の間隔の縮小は、製造プロセスにおいてますます高い精度を要求しており、その結果、表示装置の製造プロセスの難しさ及び製造コストの増加を引き起こす。
【０００４】
一方、サブピクセルレンダリング（Ｓｕｐ‐Ｐｉｘｅｌ  Ｒｅｎｄｅｒｉｎｇ、ＳＰＲ）技術は、異なる色のサブピクセルに対する人間の目の解像度の違いを利用して、通常の赤、緑、青の３色のサブピクセルと異なり、ピクセルのモードを単純に定義し、特定の位置での解像度が鈍感である色のサブピクセルを異なるピクセルの間で共有することにより、比較的少ないサブピクセルを用いて、同じピクセル解像度のパフォーマンスをシミュレートして実現することができ、それにより、製造プロセスの難しさを低減させて、製造コストを削減させる。
【０００５】
表示装置において、通常、支持の役割を果たすためにスペーサを設置する。
【発明の概要】
【発明が解決しようとする課題】
【０００６】
本開示の実施例は、異なる視角での色かぶりを減少し、表示品質を向上させるために、表示基板及び表示装置を提供する。
【課題を解決するための手段】
【０００７】
本開示の少なくとも１つの実施例は表示基板を提供し、第１サブピクセル、第２サブピクセル、及び第１スペーサを備える。前記第１サブピクセルの中心と前記第２サブピクセルの中心の連結線は中心連結線であり、前記中心連結線は第１方向に垂直ではなく、前記第１方向は行方向又は列方向の少なくとも一方である。前記第１スペーサは、前記第１サブピクセルと前記第２サブピクセルとの間に設置され、且つ前記第１サブピクセルと第２サブピクセルとの間にある前記第１スペーサの延設方向は前記第１方向に垂直ではない。
【０００８】
たとえば、前記第１スペーサの延設方向は前記第１方向とは、４０°〜５０°又は１３０°〜１４０°範囲の夾角を有する。
【０００９】
たとえば、前記夾角は４５°又は１３５°である。
【００１０】
たとえば、前記中心連結線は前記第１方向と平行ではない。
【００１１】
たとえば、前記表示基板は、それぞれ第１サブピクセル、第２サブピクセル、第３サブピクセル、及び第４サブピクセルを有する複数のピクセルグループを含み、前記第１スペーサは、異なるピクセルグループに属する第１サブピクセルと第２サブピクセルの間に位置する。
【００１２】
たとえば、前記ピクセルグループにおいて、前記第２サブピクセルの中心と前記第３サブピクセルの中心の連結線は第１線分であり、前記第１サブピクセルと前記第４サブピクセルは、前記第２サブピクセルと前記第３サブピクセルとの間に位置して、それぞれ前記第１線分の両側に設けられ、前記第１サブピクセルの中心と前記第４サブピクセルの中心の連結線は、長さが前記第１線分の長さよりも小さい第２線分である。
【００１３】
たとえば、前記第２線分の長さと前記第１線分の長さの比は３／４以下である。
【００１４】
たとえば、該表示基板は、第２スペーサをさらに備え、前記第２スペーサは、隣接するピクセルグループの間に位置し、異なるピクセルグループの第４サブピクセルと第２サブピクセルとの間又は異なるピクセルグループの第４サブピクセルと第３サブピクセルとの間に設置され、前記第４サブピクセルと前記第２サブピクセルとの間又は前記第４サブピクセルと前記第３サブピクセルとの間にある前記第２スペーサの延設方向は前記第１方向に垂直ではない。
【００１５】
たとえば、前記第１スペーサは、隣接するピクセルグループの第１サブピクセルと第２サブピクセルとの間に設置され、及び／又は、隣接するピクセルグループの第１サブピクセルと第４サブピクセルとの間に設置される。
【００１６】
たとえば、前記第２サブピクセル又は前記第４サブピクセルの周囲に位置する前記第１スペーサと前記第２スペーサはスペーサペアを形成し、前記スペーサペアにおける第１スペーサと第２スペーサは、前記第２サブピクセル又は前記第３サブピクセルの同じ側に位置する。
【００１７】
たとえば、同じピクセルグルーにおいて、前記第１サブピクセル、前記第２サブピクセル、前記第３サブピクセル、及び前記第４サブピクセルの間にはスペーサが設置されない。
【００１８】
たとえば、前記ピクセルグループにおいて、前記第１サブピクセルと前記第４サブピクセルはいずれも長尺状であり、前記第１サブピクセルの延設方向は前記第４サブピクセルの延設方向と重ならない。
【００１９】
たとえば、前記第１サブピクセルの延設方向と前記第４サブピクセルの延設方向の夾角は７０°〜１００°である。
【００２０】
たとえば、前記第１サブピクセルと前記第４サブピクセルは、前記第１線分に対して対称的に配列され、及び／又は、前記第２サブピクセルと前記第３サブピクセルは、前記第２線分に対して対称的に配列される。
【００２１】
たとえば、前記第１線分は第１方向に延設され、前記第２線分は第２方向に延設され、前記複数のピクセルグループはアレイ状に配列されて、複数の行と複数の列を形成し、偶数行のピクセルグループと奇数行のピクセルグループがずらして配置され、前記第１方向の隣接する２つのピクセルグループにおける隣接する第２サブピクセルと第３サブピクセルの中心連結線の長さは、前記第１線分の長さよりも小さく、隣接する奇数行又は隣接する偶数行において、前記第２方向の隣接する２つのピクセルグループにおける隣接する第１サブピクセルと第４サブピクセルの中心連結線の長さは、前記第２線分の長さよりも大きい。
【００２２】
たとえば、各ピクセルグループの前記第２線分の延長線は、第２方向において該ピクセルグループに隣接し且つ同じ行にある２つのピクセルグループの中心連結線の中点を通る。
【００２３】
たとえば、隣接する奇数行又は隣接する偶数行において、前記第２方向に配列された隣接する２つのピクセルグループにおける２つの第３サブピクセルの中心連結線と、該２つの第３サブピクセルの間に位置するピクセルグループにおける第１線分との交点は、該第１線分の中心と第２サブピクセルの中心との間に位置する。
【００２４】
たとえば、前記第１サブピクセルと前記第４サブピクセルの少なくとも一方は、人間の目にとって敏感な色のサブピクセルである。
【００２５】
たとえば、前記第１方向に沿って、前記第１サブピクセル、前記第２サブピクセル、前記第３サブピクセル、及び前記第４サブピクセルの幅は同じである。
【００２６】
たとえば、前記第１線分は前記第１方向に延設され、前記第２線分は第２方向に延設され、前記第１スペーサと前記第２スペーサは短冊形であり、前記短冊形の延設方向は、前記第１方向及び前記第２方向の両方と異なる。
【００２７】
たとえば、前記第１スペーサと前記第２スペーサの少なくとも一方は、前記第１サブピクセルと前記第３サブピクセルとの中心連結線と重ならない。
【００２８】
たとえば、前記第１線分は前記第１方向に延設され、前記第２線分は第２方向に延設され、前記第１方向に沿った直線での前記第１スペーサの正投影は、前記第１方向に沿った直線での前記第２サブピクセルと前記第３サブピクセルの少なくとも一方の正投影と重ならず又は部分的に重なる。
【００２９】
たとえば、前記第１スペーサと前記第２スペーサの数の合計とサブピクセルの数の比は０．３〜１であり、前記サブピクセルは、前記第１サブピクセル、前記第２サブピクセル、前記第３サブピクセル、及び前記第４サブピクセルを含む。
【００３０】
たとえば、前記第１スペーサと前記第２スペーサは、いずれも透明なスペーサである。
【００３１】
本開示の少なくとも１つの実施例は表示基板をさらに提供し、
複数のピクセルグループを備え、各ピクセルグループは、第１サブピクセル、第２サブピクセル、第３サブピクセル、及び第４サブピクセルを含み、前記ピクセルグループにおいて、前記第２サブピクセルの中心と前記第３サブピクセルの中心の連結線は第１線分であり、前記第１サブピクセルと前記第４サブピクセルは、前記第２サブピクセルと前記第３サブピクセルとの間に位置して、それぞれ前記第１線分の両側に設けられ、前記第１サブピクセルの中心と前記第４サブピクセルの中心の連結線は、長さが前記第１線分の長さよりも小さい第２線分であるピクセル配列構造を備え、
前記表示基板は、
隣接するピクセルグループにおける隣接する第１サブピクセルと第２サブピクセルの間に位置する第１スペーサと、
隣接するピクセルグループにおける隣接する第４サブピクセルと第２サブピクセルの間に位置する第２スペーサと、
前記ピクセルグループにおける第１サブピクセルと第４サブピクセルの間に位置する第３スペーサとの少なくとも一方をさらに備える。
【００３２】
たとえば、前記複数のピクセルグループはアレイ状に配列されて、複数の行と複数の列を形成し、前記偶数行のピクセルグループと前記奇数行のピクセルグループはずらして配置される。
【００３３】
たとえば、偶数行のピクセルグループと奇数行のピクセルグループは、行方向である第１方向において、第１方向におけるピクセルグループの半分の長さだけずれている。
【００３４】
本開示の少なくとも１つの実施例は、本開示の少なくとも１つの実施例に係る表示基板を備える表示装置をさらに提供する。
【００３５】
本開示の実施例の技術案をさらに明瞭に説明するために、以下、実施例の図面を簡単に説明し、明らかなように、以下で説明される図面は単に本開示のいくつかの実施例に関するが、本開示を限定するものではない。
【図面の簡単な説明】
【００３６】
【図１Ａ】表示基板の模式図である。
【図１Ｂ】表示基板の断面模式図である。
【図１Ｃ】特定の視角で表示装置を見た模式図である。
【図２Ａ】本開示の一実施例に係る表示基板の模式図である。
【図２Ｂ】本開示の別の実施例に係る表示基板の模式図である。
【図２Ｃ】本開示の別の実施例に係る表示基板の模式図である。
【図２Ｄ】本開示の一実施例に係る表示基板の模式図である。
【図２Ｅ】本開示の一実施例に係る表示基板におけるピクセル配列構造の模式図である。
【図３Ａ】本開示の一実施例に係る表示基板におけるピクセル配列構造の模式図である。
【図３Ｂ】本開示の別の実施例に係る表示基板におけるピクセル配列構造の模式図である。
【図３Ｃ】本開示の別の実施例に係る表示基板におけるピクセル配列構造の模式図である。
【図４】本開示の一実施例に係る表示基板におけるピクセル配列構造の模式図である。
【図５Ａ】本開示の別の実施例に係る表示基板におけるピクセル配列構造の模式図である。
【図５Ｂ】本開示の別の実施例に係る表示基板におけるピクセル配列構造の模式図である。
【図６】本開示の別の実施例に係る表示基板におけるピクセル配列構造の模式図である。
【図７Ａ】本開示の別の実施例に係る表示基板におけるピクセル配列構造の模式図である。
【図７Ｂ】本開示の別の実施例に係る表示基板におけるピクセル配列構造の模式図である。
【図８】本開示の別の実施例に係る表示基板のピクセル配列構造及び駆動線とデータ線の模式図である。
【図９】表示基板の模式図を示す。
【図１０】本開示の１つ又は複数の実施例に係る表示基板の模式図を示す。
【図１１】本開示の１つ又は複数の実施例に係る表示基板の模式図を示す。
【図１２】本開示の一実施例に係る表示基板の断面図である。
【発明を実施するための形態】
【００３７】
本開示の実施例の目的、技術案及び利点をさらに明瞭にするために、以下、本開示の実施例の図面を参照しながら、本開示の実施例の技術案を明確かつ完全に説明する。明らかなように、説明される実施例は本開示の一部の実施例であり、全ての実施例ではない。説明される本開示の実施例に基づいて、当業者が創造的な努力をせずに想到し得るほかの実施例は、すべて本開示の保護の範囲に属する。
【００３８】
特に断らない限り、本開示に使用される技術用語又は科学用語は当業者が理解する一般的な意味を有するべきである。本開示に使用される「第１」、「第２」及び類似する用語は順序、数量又は重要性を示すものではなく、単に異なる構成要素を区別する。「備える」又は「含む」等の類似する用語は、該用語の前にある素子又は物品が該用語の後に列挙される素子又は物品及びその同等のものをカバーするが、他の素子又は物品を除外しないという意味を有する。「接続」又は「連結」等の類似する用語は物理的又は機械的接続に限定されないが、直接及び間接を問わず電気的接続を含んでもよい。
【００３９】
図１Ａは表示基板を示す。図１Ａに示すように、該表示基板はピクセル配列構造を備え、該ピクセル配列構造は、典型的なｐｅｎｔｉｌｅ配列態様であり、１つの最小の繰り返し単位は２つの緑色サブピクセル０１１１、１つの赤色サブピクセル０１１２、及び１つの青色サブピクセル０１１３を含み、該ピクセル配列構造は均等に分布し、高ＰＰＩ（Ｐｉｘｅｌ  Ｐｅｒ  Ｉｎｃｈ）表示を実現しやすい。各行において、最小の繰り返し単位は第１方向Ｘに沿って配列され、スペーサ０１０は、同じの最小の繰り返し単位及び異なる最小の繰り返し単位の間の隣接するサブピクセルの間に設置される。スペーサ０１０は、第１方向Ｘに垂直な第２方向Ｙに延設される。
【００４０】
図１Ｂは表示基板の断面模式図を示し、図１ＡにおけるＡＢ方向に沿った断面図であってもよい。図１Ｂに示すように、緑色サブピクセル０１１１、赤色サブピクセル０１１２、青色サブピクセル０１１３、及びスペーサ０１０は、ベース基板１１０１に設置される。特定の角度で表示基板を観察すると、各サブピクセルの発光輝度に対するスペーサの影響の程度が異なり、その結果、視野の色かぶりが発生する。たとえば、第１方向Ｘに沿って、異なる角度で表示基板を見るとき、スペーサ０１０は人間の目に入らないようにサブピクセルの光の一部を遮断し、それにより、異なる視角での色かぶりが生じる。すなわち、図１Ｂの左側と右側から同じ画面を見ると、視野の色かぶりがある。
【００４１】
図１Ｃは特定の視角で表示装置を見た模式図を示す。図１Ｃは、表示装置の右側から見る場合を例とする。スペーサ０１０は一部のサブピクセルの光を遮断するため、左側から表示装置を見るとき、同じ画面の色は右側から見るときの色と異なる。
【００４２】
図２Ａは、本開示の少なくとも１つの実施例に係る表示基板を示す。該表示基板は、第１サブピクセル１１１、第２サブピクセル１１２、及び第１スペーサ０１０１を備える。第１サブピクセル１１１の中心Ｃ１と第２サブピクセル１１２の中心Ｃ２の連結線は中心連結線ＣＬ１であり、中心連結線ＣＬ１は第１方向Ｘに垂直ではなく、第１方向Ｘは行方向又は列方向の少なくとも一方である。
【００４３】
第１スペーサ０１０１は、第１サブピクセル１１１と第２サブピクセル１１２との間に設置され、且つ第１サブピクセル１１１と第２サブピクセル１１２との間にある第１スペーサ０１０１の延設方向は第１方向Ｘに垂直ではない。
【００４４】
たとえば、第１スペーサ０１０１は、第１サブピクセル１１１と第２サブピクセル１１２との間に延設され、且つ第１スペーサ０１０１の延設方向Ｅ０１は第１方向Ｘに垂直ではない。本開示の実施例では、第１方向Ｘが行方向である場合を例として説明する。第１スペーサ０１０１の延設方向Ｅ０１は、第１方向及び第２方向の両方と異なる。
【００４５】
本開示の少なくとも１つの実施例に係る表示基板において、スペーサの配置方式が調整され、第１スペーサ０１０１の延設方向Ｅ０１が第１方向Ｘに垂直ではない場合、第１スペーサによる第１サブピクセル１１１の遮断を減少することができ、さらに、異なる視野で画面を見るときの視野の色かぶりを減少することができる。
【００４６】
図２Ａに示すように、本開示の１つ又は複数の実施例に係る表示基板によれば、第１スペーサ０１０１による第１サブピクセル１１１の遮断を減少するために、第１スペーサ０１０１の延設方向Ｅ０１は第１方向Ｘと夾角θ１を有し、たとえば、該夾角θ１の範囲は４０°〜５０°又は１３０°〜１４０°である。さらに、たとえば、該夾角θ１は４５°又は１３５°であり、この場合、第１スペーサ０１０１による第１サブピクセル１１１の遮断は最も小さく、それにより、視野の色かぶりを大幅に改善することができる。
【００４７】
図２Ａに示すように、本開示の１つ又は複数の実施例に係る表示基板によれば、中心連結線ＣＬ１は第１方向Ｘと平行ではない。
【００４８】
図２Ａに示すように、本開示の１つ又は複数の実施例に係る表示基板によれば、第２サブピクセル１１２が第１ピクセルグループ０１１に含まれ、第１サブピクセル１１１が第２ピクセルグループ０１２に含まれる。第１ピクセルグループ０１１は、第１サブピクセル１１１、第３サブピクセル１１３、及び第４サブピクセル１１４をさらに含み、第２ピクセルグループ０１２は、第２サブピクセル１１２、第３サブピクセル１１３、及び第４サブピクセル１１４をさらに含む。第１ピクセルグループ０１１と第１ピクセルグループ０１１において、第２サブピクセル１１２の中心Ｃ２と第３サブピクセル１１３の中心Ｃ３の連結線は第１線分ＬＳ１であり、第１サブピクセル１１１と第４サブピクセル１１４は、第２サブピクセル１１２と第３サブピクセル１１３との間に位置して、それぞれ第１線分ＬＳ１の両側に設けられる。第１ピクセルグループ０１１と第２ピクセルグループ０１２は列方向に隣接し、行方向にずれている。たとえば、第１ピクセルグループ０１１と第２ピクセルグループ０１２は、いずれもピクセルグループ０１と呼ばれることができる。
【００４９】
図２Ａに示すように、本開示の１つ又は複数の実施例に係る表示基板によれば、第１ピクセルグループ０１１と第２ピクセルグループ０１２において、第１サブピクセル１１１の中心Ｃ１と第４サブピクセル１１４の中心Ｃ４の連結線は第２線分ＬＳ２であり、第２線分ＬＳ２と第１線分ＬＳ１の長さの比は３／４以下である。それにより、第１サブピクセル１１１と第４サブピクセル１１４が同じ色のサブピクセルである場合、同じピクセルグループ０１における第１サブピクセル１１１と第４サブピクセル１１４の発光層パターンは、マスクの同じ開口を介して蒸着によって形成され得る。
【００５０】
本開示の１つ又は複数の実施例に係る表示基板によれば、第１スペーサ０１０１は、隣接するピクセルグループの第１サブピクセル１１１と第２サブピクセル１１２との間に設置され、及び／又は、隣接するピクセルグループの第１サブピクセル１１１と第４サブピクセル１１４との間に設置されるようにしてもよい。
【００５１】
図２Ａに示すように、本開示の１つ又は複数の実施例に係る表示基板によれば、第２スペーサ０１０２をさらに備え、第２スペーサ０１０２は、隣接するピクセルグループ０１の間に位置し、第２スペーサ０１０２は、異なるピクセルグループ０１の第４サブピクセル１１４と第２サブピクセル１１２との間又は異なるピクセルグループの第４サブピクセル１１４と第３サブピクセル１１２との間に設置され、第４サブピクセル１１４と第２サブピクセル１１５との間又は第４サブピクセル１１４と第３サブピクセル１１３との間にある第２スペーサ０１０２の延設方向は第１方向Ｘに垂直ではない。
【００５２】
たとえば、第２スペーサ０１０２は、異なるピクセルグループ０１の第４サブピクセル１１４と第２サブピクセル１１２との間に延設され、又は異なるピクセルグループ０１の第４サブピクセル１１４と第３サブピクセル１１３との間に延設される。第２スペーサ０１０２の延設方向Ｅ０２は第１方向Ｘに垂直ではない。たとえば、第２スペーサ０１０２の延設方向Ｅ０２は、第１方向及び第２方向の両方と異なる。
【００５３】
たとえば、表示基板は、奇数行にある複数の第１ピクセルグループ０１１と偶数行にある複数の第２ピクセルグループ０１２を含む。表示基板は、第２スペーサ０１０２をさらに備え、第２スペーサ０１０２は、各第１ピクセルグループ０１１と各第２ピクセルグループ０１２の少なくとも一方における第４サブピクセル１１４と、列方向で第４サブピクセル１１４に隣接する第２サブピクセル１１２と第３サブピクセル１１３の少なくとも一方との間に延設される。第２スペーサ０１０２の延設方向Ｅ０２は第１方向Ｘに垂直ではない。
【００５４】
たとえば、第２スペーサ０１０２による第４サブピクセル１１４の遮断を減少するために、第２スペーサ０１０２の延設方向Ｅ０２は第１方向Ｘと夾角θ２を有し、たとえば、該夾角θ２の範囲は４０°〜５０°又は１３０°〜１４０°である。さらに、たとえば、該夾角θ２は４５°又は１３５°であり、この場合、第２スペーサによる第４サブピクセル１１４の遮断は最も小さく、それにより、人間の目にとって敏感なピクセルへの遮断をさらに減少することができ、視野の色かぶりを大幅に改善することができる。
【００５５】
図２Ａに示すように、スペーサは短冊形であってもよく、その延設方向は、第１方向及び第２方向の両方と異なり、スペーサは、第１スペーサ０１０１と第２スペーサ０１０２を備える。たとえば、スペーサの形状は、ベース基板１でのスペーサの正投影の形状である。同様に、サブピクセルの形状は、ベース基板１でのサブピクセルの正投影の形状である。
【００５６】
図２Ａに示すように、第２ピクセルグループ０１２における第４サブピクセル１１４の中心と、該第４サブピクセル１１４に隣接する第１ピクセルグループ０１１における第３サブピクセル１１３又は第４サブピクセル１１４の中心との連結線は、中心連結線ＣＬ２であり、中心連結線ＣＬ２は第１方向Ｘに垂直ではない。
【００５７】
本開示の１つ又は複数の実施例に係る表示基板によれば、第１サブピクセル１１１と第４サブピクセル１１４の少なくとも一方は、人間の目にとって敏感な色のサブピクセルである。たとえば、第２サブピクセル１１２と第３サブピクセル１１３は、人間の目に鈍感な色のサブピクセルであってもよい。本開示の実施例では、第１スペーサ及び／又は第２スペーサによる敏感な色のサブピクセルの遮断を減少することにより、異なる視野での色かぶりを減少することができる。たとえば、第１スペーサ及び／又は第２スペーサは、敏感な色のサブピクセルと鈍感な色のサブピクセルとの間に位置してもよい。
【００５８】
図２Ａに示すように、本開示の１つ又は複数の実施例に係る表示基板によれば、第２サブピクセル１１２又は第４サブピクセル１１４の周囲に位置する第１スペーサ０１０１と第２スペーサ０１０２はスペーサペア０１０１２を形成し、スペーサペア０１０１２における第１スペーサ０１０１と第２スペーサ０１０２は、第２サブピクセル１１２又は第３サブピクセル１１３の同じ側に位置する。図２Ａにおいて、スペーサペア０１０１２が第２サブピクセル１１２の同じ側に位置する場合を例として説明する。スペーサペア０１０１２は鈍感な色のサブピクセルの周囲に位置することで、色表示へのスペーサペア０１０１２の影響を低減させて、視野の色かぶりを減少することができる。
【００５９】
ＡＭＯＬＥＤ表示基板に対して、スペーサは２つの役割を果たす。１つは、発光層パターン蒸着用のマスクを支持することであり、もう１つは、パッケージングする際にカバープレートを支持することである。
【００６０】
図２Ａに示すように、本開示の１つ又は複数の実施例に係る表示基板によれば、表示基板におけるスペーサの数を減らし、異なる視野での色かぶりを減少するために、第１ピクセルグループ０１１と第２ピクセルグループ０１２の少なくとも一方（同じピクセルグループ０１において）において、第１サブピクセル１１１、第２サブピクセル１１２、第３サブピクセル１１３、及び第４サブピクセル１１４の間にはスペーサが設置されない。たとえば、この場合に、ピクセルグループ０１の間にスペーサペアを設置してもよい。たとえば、各ピクセルグループ０１の周囲に３つのスペーサペアを形成することで、発光層が製造されるときのマスクの支持を容易にすることができる。
【００６１】
図２Ｂは、本開示の少なくとも１つの実施例に係る表示基板を示す。該表示基板において、スペーサペア０１０１２における第１スペーサ０１０１と第２スペーサ０１０２は、第３サブピクセル１１３の同じ側に位置する。
【００６２】
図２Ｃは、本開示の少なくとも１つの実施例に係る表示基板を示す。該表示基板は、２種類のスペーサペア０１０１２を備える。一種類のスペーサペア０１０１２は、第１ピクセルグループ０１１における第３サブピクセル１１３の同じ側（たとえば、左側）に位置する。もう１つの種類のスペーサペア０１０１２は、第２ピクセルグループ０１２における第２サブピクセル１１２の同じ側（たとえば、右側）に位置する。
【００６３】
図２Ｄは、本開示の少なくとも１つの実施例に係る表示基板を示す。該表示基板は、第１スペーサ０１０１と第３スペーサ０１０３を備える。第３スペーサ０１０３は、異なるピクセルグループ０１の２つの鈍感な色の間に設置されてもよい。たとえば、第２サブピクセル１１２と第３サブピクセル１１３の間に設置される。
【００６４】
以下、ピクセル配列構造の説明を容易にするために、表示基板におけるスペーサを省略して、ピクセル配列構造を説明する。本開示の実施例における第１スペーサ０１０１、第２スペーサ０１０２、第３スペーサ０１０３等は、以下に説明されるピクセル配列構造に設置されてもよい。
【００６５】
図２Ｅに示すように、本開示の少なくとも１つの実施例は表示基板を提供し、該ピクセル配列構造は、複数のピクセルグループ０１を備える。各ピクセルグループ０１は、第１サブピクセル１１１、第２サブピクセル１１２、第３サブピクセル１１３、及び第４サブピクセル１１４を含む。第２サブピクセル１１２の中心Ｃ２と第３サブピクセル１１３の中心Ｃ３の連結線は第１線分ＬＳ１であり、第１サブピクセル１１１と第４サブピクセル１１４は、第２サブピクセル１１２と第３サブピクセル１１３との間に位置して、それぞれ第１線分ＬＳ１の両側に設けられる。たとえば、第１サブピクセル１１１の中心Ｃ１と第４サブピクセル１１４の中心Ｃ４の連結線は、長さが第１線分ＬＳ１の長さよりも小さい第２線分ＬＳ２である。たとえば、ピクセルを緊密に配列するという良好な効果を達成するために、第２線分ＬＳ２と第１線分ＬＳ１の長さの比は３／４以下である。
【００６６】
本開示の少なくとも１つの実施例に係る表示基板によれば、表示基板のピクセル配列構造において、同じピクセルグループにおける第１サブピクセルと第４サブピクセルとの間の距離が短くなり、それにより、一方では、ピクセルの配列をより緊密にして、混色のリスクを低減させ、色滲みを改善して、視覚的な粒状感を改善することができる。他方では、サブピクセル間の間隔を大きくして、製造を容易にすることができる。又は、ピクセル配列の緊密さとサブピクセル間の間隔を同時に考慮し、両者の間のバランスを取り、ピクセル配列を緊密にすると同時にサブピクセル間の間隔（ピクセル定義層の間隔）を一定の程度で大きくし、それにより、混色のリスクを低減させ、色滲みを改善して、視覚的な粒状感を改善する効果、及びサブピクセル間の間隔を大きくする効果を同時に達成する。たとえば、本開示の実施例で与えられる各サブピクセルの形状はピクセル定義層によって定義されてもよいが、これに限定されない。たとえば、図面における各サブピクセルは実際の発光領域である。各サブピクセルの具体的な形状は製造プロセスに応じて設置できる。たとえば、この実際の発光領域は、電極、発光層、ピクセル定義層の少なくとも１つの形状によって決定されてもよい。
【００６７】
たとえば、このピクセル配列構造がＯＬＥＤ表示基板に使用され、第１サブピクセルと第４サブピクセルが同じ色である場合、同じピクセルグループにおける第１サブピクセルと第４サブピクセルの発光層パターンは、マスクの同じ開口を介して蒸着によって形成されてもよい。
【００６８】
たとえば、第１サブピクセル１１１と第４サブピクセル１１４は、緑色サブピクセル、黄色サブピクセル、白色サブピクセルなどの人間の目にとって敏感な色のサブピクセルであってもよい。たとえば、第２サブピクセル１１２と第３サブピクセル１１３に比べて、第１サブピクセル１１１と第４サブピクセル１１４の面積は小さい。たとえば、第１サブピクセル１１１の面積は第２サブピクセル１１２よりも小さく、及び／又は、第１サブピクセル１１１の面積は第３サブピクセル１１３の面積よりも小さい。同様に、第４サブピクセル１１４は第１サブピクセル１１１の面積についての上記説明を参照できる。すなわち、第４サブピクセル１１４の面積は第２サブピクセル１１２よりも小さく、及び／又は、第４サブピクセル１１４の面積は第３サブピクセル１１３の面積よりも小さい。
【００６９】
本開示の少なくとも１つの実施例に係る表示基板によれば、そのピクセル配列構造は視覚的位置での敏感な色のサブピクセルの間隔を調節することにより、敏感な色のサブピクセルの分布均一性を改善することができ、それにより、該ピクセル配列構造の視覚的な解像度を高め、表示品質を向上させることができる。
【００７０】
第２サブピクセル１１２と第３サブピクセル１１３は、人間の目に鈍感な色のサブピクセルであってもよい。たとえば、第２サブピクセル１１２と第３サブピクセル１１３のうちの一方は赤色サブピクセルであり、他方は青色サブピクセルであってもよいが、これに限定されない。本開示の実施例では、第２サブピクセル１１２が赤色サブピクセルであり、第３サブピクセル１１３が青色サブピクセルである場合を例として説明する。ただし、ピクセル配列構造が赤緑青（ＲＧＢ）モードを使用する場合、上記人間の目にとって敏感な色は緑色であってもよい。
【００７１】
図２Ｅに示すように、第１線分ＬＳ１は第１方向Ｘに延設され、第２線分ＬＳ２は第２方向Ｙに延設される。たとえば、第１方向Ｘは第２方向Ｙに垂直である。たとえば、各ピクセルグループ０１において、第１サブピクセル１１１と第４サブピクセル１１４は第１方向Ｘを対称軸として配列されることで、ピクセル構造の配置をより均等にする。たとえば、第１サブピクセル１１１は、第２サブピクセル１１２及び第３サブピクセル１１３に対して均等に配列され、一致性を保持し、それにより、ピクセル構造の配置をより均等にする。
【００７２】
図２Ｅに示すように、本開示の１つ又は複数の実施例に係る表示基板によれば、そのピクセル配列構造において、第２線分ＬＳ２は第１線分ＬＳ１に垂直である。それにより、ピクセル配列はより均等になる。たとえば、第２線分ＬＳ２が第１線分ＬＳ１の垂直二等分線にある場合、第１方向Ｘでの各色のサブピクセルの幅が全て同じであってもよいが、これに限定されない。それにより、ピクセル構造の分布がより均等になり、画面表示品質がより高くなり、低いＰＰＩでの表示粒状感の問題が改善される。
【００７３】
図２Ｅに示すように、説明を容易にするために、複数の正方形の点線枠が示され、各点線枠の長さが１／２Ｌであり、４つの点線枠が辺長Ｌの正方形を形成することができる。図２Ｅにおける暗い長方形の点線枠内のものは、ピクセルグループ０１である。該ピクセルグループ０１は、該ピクセル配列構造の最小の繰り返し単位であってもよい。たとえば、ピクセル配列構造は最小の繰り返し単位を平行に移動してコピーすることにより得られ得る。たとえば、最小の繰り返し単位内には、水平に移動して繰り返すことによって配列されピクセル構造を形成し得るサブユニットが含まない。たとえば、図２に示すように、暗い長方形点線枠は、長さ２Ｌ、幅Ｌである。
【００７４】
図２Ｅに示すように、第１線分ＳＬ１は第２線分ＳＬ２に垂直であり、且つ互いに垂直に二等分する。第１線分ＳＬ１は第２線分ＳＬ２を垂直に二等分する。第２線分ＳＬ２も第１線分ＳＬ１を垂直に二等分する。たとえば、ピクセルグループ０１において、第１サブピクセル１１１、第２サブピクセル１１２、第４サブピクセル１１４、及び第３サブピクセル１１３の中心の連結線で囲まれた最大の領域が菱形であり、第１線分ＳＬ１と第２線分ＳＬ２はそれぞれ該菱形の対角線である。
【００７５】
図２Ｅに示すように、ピクセルグループ０１において、第１サブピクセル１１１の中心Ｃ１と第４サブピクセル１１４の中心Ｃ４との間の距離が１／２Ｌ以上であってもよく、たとえば、該距離の範囲は１／２Ｌ〜Ｌであってもよい。たとえば、第１サブピクセル１１１と第４サブピクセルは、同じ色のサブピクセルを採用してもよい。第１サブピクセル１１１と第４サブピクセルは、いずれも第１サブピクセル１１１などの同じ色のサブピクセルを採用する場合、該距離の設定は、隣接する第１サブピクセルの距離が近いので、隣接する２つの第１サブピクセルの区別が困難であり、人間の目で視覚的に一体化するという状況を回避することができ、さらに生じた粒状感を回避することができる。そのため、該ピクセル配列構造は、第１サブピクセルの分布均一性を改善することができ、それにより、視覚的な解像度を高めることができ、さらに表示品質を向上させることができる。
【００７６】
図２Ｅに示すように、第３サブピクセル１１３の中心Ｃ３と第２サブピクセル１１２の中心Ｃ２との間の距離は４／３Ｌであってもよい。第２線分ＬＳ２と第１線分ＬＳ１の長さの比を３／４以下にするために、プロセスによって許可される条件において、同じピクセルグループにおける第３サブピクセル１１３と第２サブピクセル１１２との間の距離を大きくし、及び／又は、第１サブピクセル１１１と第４サブピクセル１１４との間の距離を減少することができる。
【００７７】
図２Ｅに示すように、本開示の１つ又は複数の実施例に係る表示基板によれば、緊密に配列されたピクセル構造を取得するために、第２線分ＬＳ２と第１線分ＬＳ１の長さの比は３／８以上であってもよい。
【００７８】
続いて、図２Ａを参照すると、図２Ａに示すように、第１スペーサ０１０１と第２スペーサ０１０２の少なくとも一方は、第１サブピクセル１１１と第３サブピクセル１１３との中心連結線と重ならない。たとえば、第１スペーサ０１０１と第２スペーサ０１０２の少なくとも一方は、青色サブピクセルと緑色サブピクセルとの中心連結線と重ならない。
【００７９】
たとえば、異なる視角での色かぶりを減少するために、第１方向に沿った直線での第１スペーサ０１０１の正投影は、第１方向に沿った直線での第２サブピクセル１１２と第３サブピクセル１１３の少なくとも一方の正投影と重ならず又は部分的に重なる。
【００８０】
たとえば、第１スペーサ０１０１と第２スペーサ０１０２の数量の合計とサブピクセルの数の比は０．３〜１である。たとえば、サブピクセルは、第１サブピクセル１１１、第２サブピクセル１１２、第３サブピクセル１１３、及び第４サブピクセル１１４を含む。たとえば、同じピクセルグルーにおいて、第１スペーサ０１０１と第２スペーサ０１０２の数量の合計とサブピクセルの数の比は０．３〜１である。
【００８１】
以上、角度に起因する色かぶりの問題を防止するようにスペーサの位置を設計することを説明した。しかしながら、本開示の実施例は、スペーサの別の解決策をさらに提供する。たとえば、透明なスペーサを使用して角度による色かぶりを防止することができる。透明なスペーサの位置が上記位置に限定されない。たとえば、透明なスペーサは、光透過率が低いポリイミド材料の代わりに、光透過率が高くひいては完全に透明であり、且つ他の代替材料として要件を満たす材料を採用することができる。この場合、どの角度からスクリーンを観察しても、使用される材料は光透過率が高く、且つ異なる波長の光を選択性なく透過させるため、赤色光も青色光もスペーサにより遮断されず、正常に放出できる。この正常な出光は観察角度に関連しないため、白いスクリーン画面での角度による色かぶり及び左右の視野が非対称であるという問題をある程度で軽減する。
【００８２】
スペーサに使用され得る代替材料はシリコーンであってもよい。シリコーンフィルムは、優れた耐熱性、低温柔軟性、高誘電率、及び絶縁特性等を有する。また、シリコーンフィルム、たとえば、ジメチルシロキサン（ＰＤＭＳ）を原料とする高分子ポリマーフィルムは、無色と光学的な完全透明性を有し、厚さがミリメートルレベルである場合にも、非常に高い、ひいては９０％以上の光透過率に達することができ、それにより、可視光範囲内でスペーサに良好な透明性を有させることができる。シリコーン材料であるＮ−（トリメトキシシリルプロピル）−４−アジド−２，３，５，６−テトラフルオロベンズアミド（ＰＦＰＡ−ｓｉｌａｎｅ）を例として説明し、該シリコーン材料は光透過率が高く（８０％に近い）、且つ各波長での光の透過率の違いが大きくない。
【００８３】
また、スペーサの材料は、変性された無色で透明な新型ポリイミド材料であってもよい。ポリイミド自体は様々な優れた特性に加え、変性により全帯域の可視光に対する高光透過率を有するため、透明なスペーサの材料とすることができる。たとえば、ポリイミドとシリカＰＩ／ＳｉＯ２複合フィルムを採用することができる。変性された後のＰＩ／ＳｉＯ２複合フィルムは、改良により、純粋なポリイミドに比べて光透過率が大幅に高まり、且つ可視光範囲内で波長に対して選択性がほとんどなく、各波長での光透過率がほとんど同じである。高い光透過率及び光透過が波長に対して選択性がないという２つの特性は全て、角度による色かぶりの改善に有利である。
【００８４】
図３Ａは、図２Ｅに示される破線を除去したピクセル配列構造を示す。本開示の実施例に与えられる破線、中心等は、説明を容易にするために示される仮想線、仮想中心である。たとえば、中心は、重心、対辺の垂直二等分線の交点等であってもよいが、これに限定されない。
【００８５】
図３Ｂは本開示の１つ又は複数の実施例に係る表示基板を示す。同じピクセルグループ０１において、第１サブピクセル１１１と第４サブピクセル１１４は、いずれも第１サブピクセル１１１などの同じ色を採用する。同じ色のサブピクセルには混色の問題がないため、同じピクセルグループ０１における第１サブピクセル１１１と第４サブピクセル１１４の発光層パターンは、マスクの同じ開口を介して蒸着されてもよく、それにより、マスクのネッティングを容易にし、ネッティング圧力を小さくし、ネッティングの品質を向上させる。
【００８６】
図３Ｂに示すように、同じ行の第１サブピクセル１１１の傾きが低いため、同じ行に属する第１サブピクセル１１１が一緒に直線を表示するとき、傾きが低く（図３Ｂにおける密な点線）、隣接するピクセルグループの第１サブピクセルの変動幅が小さいので、変動幅が大きいことによって隣接する行で表示される直線と互いに噛み合って、２本の直線の区別が困難であり、人間の目で視覚的に一体化するという状況の発生を回避することができる。それにより、該ピクセル配列構造は視覚的な解像度を高めることができる。
【００８７】
図３Ｃは本開示の１つ又は複数の実施例に係る表示基板を示す。図３Ｃに示すように、各ピクセルグループ０１において、第１サブピクセル１１１と第４サブピクセル１１４は同じ色のサブピクセルであり、たとえば、２種類のピクセルグループを含んでもよく、一種類のピクセルグループにおけるペアになる同じ色のサブピクセルは第１サブピクセル（たとえば、緑色サブピクセル）であり、もう一種類のピクセルグループにおけるペアになる同じ色のサブピクセルは第４サブピクセル（たとえば、白色サブピクセル又は黄色サブピクセル）である。各ピクセルグループの対角線方向の隣接するピクセルグループにおける第２サブピクセルと第３サブピクセルとの間に位置してペアとして設置された２つのサブピクセルの色は、該ピクセルグループにおける第２サブピクセルと第３サブピクセルとの間に位置してペアとして設置されたサブピクセルの色と異なる。
【００８８】
図４は本開示の１つ又は複数の実施例に係る表示基板を示し、図４に示すように、第１線分ＬＳ１は第１方向Ｘに延設され、第１方向Ｘの隣接する２つのピクセルグループ０１における隣接する第２サブピクセル１１２と第３サブピクセル１１３との間の中心連結線ＬＳ３の長さＤ１は、第１線分ＬＳ１の長さよりも小さく、それによりピクセルが緊密に配列できる。図４において、第１線分ＬＳ１の長さが４／３Ｌである場合を例として説明したが、これに限定されない。たとえば、第１線分ＬＳ１の長さの範囲は１１／９Ｌ〜１３／９Ｌであってもよい。
【００８９】
たとえば、ピクセルを最大限に緊密に配列するために、プロセス条件により許可される場合、第１方向の隣接する２つのピクセルグループ０１における隣接する第２サブピクセル１１２の中心と第３サブピクセル１１３の中心との間の中心連結線ＬＳ３の長さＤ１と第１線分ＬＳ１の比は、１／２以下である。図４において距離Ｄ１の長さが２／３Ｌである場合を例として説明したが、これに限定されない。たとえば、距離Ｄ１の長さの範囲は５／９Ｌ〜７／９Ｌであってもよい。
【００９０】
図４に示すように、本開示の１つ又は複数の実施例に係る表示基板によれば、そのピクセル配列構造において、複数のピクセルグループ０１はアレイ状に配列されて、複数の行と複数の列を含み、たとえば、奇数行にある複数の第１ピクセルグループ０１１と偶数行にある複数の第２ピクセルグループ０１２を含んでもよい。たとえば、偶数行のピクセルグループと奇数行のピクセルグループはずらして配置される。第２線分ＬＳ２は第２方向Ｙに延設されてもよい。たとえば、列方向のピクセルを緊密に配列するために、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２は、第２線分ＬＳ２の長さよりも大きい。たとえば、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２と第２線分ＬＳ２の長さの比は、１以上、３以下である。
【００９１】
たとえば、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２は、第２線分ＬＳ２の長さよりも大きい。
【００９２】
それにより、１つのピクセルグループの周囲に６つのピクセルグループが緊密に配列されたピクセル構造を形成することができる。奇数行のピクセルグループと偶数行のピクセルグループはずらして配置される。たとえば、第１方向Ｘにおいて、第１方向Ｘでのピクセルグループの半分の長さだけずれており、たとえば、ずれている長さはＬであるが、これに限定されない。たとえば、隣接する奇数行又は隣接する偶数行において、第２方向Ｙの隣接する２つのピクセルグループ０１における隣接する第１サブピクセル１１１と第４サブピクセル１１４の中心連結線の長さＤ２と第２線分ＬＳ２の長さの比は、１以上、３以下である。
【００９３】
図４に示すように、本開示の１つ又は複数の実施例に係る表示基板によれば、そのピクセル配列構造において、各ピクセルグループ０１の第２線分ＬＳ２の延長線は、第２方向Ｙにおいて該ピクセルグループ０１に隣接し且つ同じ行にある２つのピクセルグループ０１の中心連結線ＬＳＣの中点Ｃ０を通る。各ピクセルグループ０１の中心はＣ１であり、隣接する２つのピクセルグループ０１の中心Ｃ１の連結線は中心連結線ＬＳＣである。たとえば、ピクセルグループ０１の中心Ｃ１は、第１線分ＬＳ１と第２線分ＬＳ２の交点であってもよい。
【００９４】
たとえば、各第１ピクセルグループ０１１の第２線分ＬＳ２の延長線は、該第１ピクセルグループ０１１に隣接し且つ同じ行にある２つの第２ピクセルグループ０１２の隣接する第３サブピクセル１１３と第２サブピクセル１１２の中心連結線ＬＳ３の中心Ｃ５を通る。たとえば、中心Ｃ５と中心Ｃ０は同じ点であってもよい。
【００９５】
図４に示すように、本開示の１つ又は複数の実施例に係る表示基板によれば、隣接する奇数行又は隣接する偶数行において、第２方向Ｙに配列された隣接する２つのピクセルグループ０１（隣接する２つの第１ピクセルグループ０１１又は隣接する２つの第２ピクセルグループ０１２）における２つの第３サブピクセル１１３の中心連結線ＬＳ４と、該２つの第３サブピクセル１１３の間に位置するピクセルグループ０１における第１線分ＬＳ１との交点ＩＰ１は、該第１線分ＬＳ１の中心ＩＰ０と第２サブピクセル１１２の中心Ｃ２との間に位置する。たとえば、第１線分ＬＳ１の中心ＩＰ０は該ピクセルグループ０１の中心Ｃ１であってもよい。たとえば、交点ＩＰ１は、第１線分ＬＳ１の中心ＩＰ０と第２サブピクセル１１２の中心Ｃ２の連結線の中点に位置する。
【００９６】
たとえば、隣接する奇数行において、同じ列にある隣接する第１ピクセルグループ０１１の２つの第３サブピクセル１１３の中心連結線ＬＳ４と、該第３サブピクセル１１３に隣接する第２ピクセルグループ０１２の第１線分ＬＳ１との交点ＩＰ１は、該第２ピクセルグループ０１２の第１線分ＬＳ１と第２線分ＬＳ２の交点ＩＰ０と第２サブピクセル１１２の中心Ｃ２との間に位置する。上記説明における第３サブピクセル１１３を第２サブピクセル１１２に置き換えることもできる。
【００９７】
たとえば、隣接する奇数行又は隣接する偶数行において、第２方向Ｙに配列された隣接する２つのピクセルグループ０１（隣接する２つの第１ピクセルグループ０１１又は隣接する２つの第２ピクセルグループ０１２）における２つの第２サブピクセル１１２の中心連結線と、該２つの第２サブピクセル１１２の間に位置するピクセルグループ０１における第１線分ＬＳ１との交点は、該第１線分ＬＳ１の中心ＩＰ０と第３サブピクセル１１３の中心Ｃ３との間に位置する。たとえば、該交点は、第１線分ＬＳ１の中心ＩＰ０と第３サブピクセル１１３の中心Ｃ３との連結線の中点に位置する。
【００９８】
たとえば、第１スペーサ０１０１は異なる行の隣接するピクセルグループの間に設置される。たとえば、第２スペーサ０１０２は異なる行の隣接するピクセルグループの間に設置される。
【００９９】
図４に示すように、本開示の１つ又は複数の実施例に係るピクセル配列構造によれば、同じピクセルグループにおいて、第２サブピクセル１１２と第１サブピクセル１１１との間の最も近い距離はＬ１であり、第２サブピクセル１１２と第４サブピクセル１１４との間の最も近い距離はＬ２であり、第３サブピクセル１１３と第１サブピクセル１１１との間の最も近い距離はＬ３であり、第３サブピクセル１１３と第４サブピクセル１１４との間の最も近い距離はＬ４であり、Ｌ１＝Ｌ２＝Ｌ３＝Ｌ４である。
【０１００】
図４に示すように、本開示の１つ又は複数の実施例に係るピクセル配列構造によれば、第１サブピクセル１１１又は第４サブピクセル１１４と、第２方向においてこれらに隣接し且つ同じ行に位置しないピクセルグループにおける第２サブピクセル１１２及び第３サブピクセル１１３との最も近い距離は、それぞれＬ５及びＬ６であり、Ｌ５＝Ｌ６である。
【０１０１】
たとえば、一実施例では、Ｌ１＝Ｌ２＝Ｌ３＝Ｌ４＝Ｌ５＝Ｌ６である。
【０１０２】
たとえば、Ｌ１、Ｌ２、Ｌ３、Ｌ４、Ｌ５及びＬ６については、図７Ａ及び７Ｂにおける最小プロセス間隔ｄに関する注釈を参照することができる。各最も近い距離は２つのサブピクセルの間の最小距離である。たとえば、実際に製造するとき、Ｌ１、Ｌ２、Ｌ３、Ｌ４、Ｌ５及びＬ６を最小プロセス間隔ｄに最大限に近づけることができる。たとえば、最も近い距離は２つのサブピクセルの外縁上の最も近い２つの点の距離である。
【０１０３】
図４に示すように、本開示の１つ又は複数の実施例に係るピクセル配列構造によれば、隣接するサブピクセルにおいて、各対辺はほぼ平行であり又は夾角が４５°より小さく、隣接するサブピクセルは、第１サブピクセル１１１、第２サブピクセル１１２、第３サブピクセル１１３、及び第４サブピクセル１１４のうちの任意の隣接する２つを含む。
【０１０４】
図５Ａに示すように、本開示の１つ又は複数の実施例に係る表示基板によれば、そのピクセル配列構造において、第１サブピクセル１１１と第４サブピクセル１１４はいずれも長尺状であり、第１サブピクセル１１１の延設方向Ａ１は第４サブピクセル１１４の延設方向Ａ２と重ならない。たとえば、第１サブピクセル１１１の延設方向Ａ１は第４サブピクセル１１４の延設方向Ａ２と交差し又は夾角を有する。たとえば、各ピクセルグループにおいて、第１サブピクセル１１１と第４サブピクセル１１４は第１方向Ｘを対称軸として配列され、一定の角度で傾斜する。たとえば、傾斜角度と第１方向Ｘの夾角の範囲は３０°〜５０°であり、さらに、たとえば、夾角は４５°であるが、これに限定されない。たとえば、第１サブピクセル１１１の延設方向Ａ１は第１サブピクセル１１１の長軸方向であってもよいが、これに限定されない。たとえば、第４サブピクセル１１４の延設方向Ａ２は第４サブピクセル１１４の長軸方向であってもよいが、これに限定されない。
【０１０５】
図５Ａに示すように、本開示の１つ又は複数の実施例に係るピクセル配列構造によれば、各ピクセルグループ０１において、第１サブピクセル１１１と第４サブピクセル１１４は、第１線分ＬＳ１に対して対称的に配列される。たとえば、各ピクセルグループ０１において、第１サブピクセル１１１と第４サブピクセル１１４は、第２線分ＬＳ２に対して非対称的に配列される。
【０１０６】
たとえば、第２サブピクセル１１２と第３サブピクセル１１３は、第２線分ＬＳ２に対して対称的に配列されるが、これに限定されない。
【０１０７】
たとえば、本開示の実施例では、長尺状とは、一方の方向での長さが他方の方向での長さよりも大きく、又は、一方の方向でのサイズが別の方向でのサイズよりも大きいことを意味する。長尺状は、長方形に限定されず、他の形状、たとえば、長い六角形、長い楕円形、台形などの形状であってもよい。本開示の実施例では、各サブピクセルの形状は規則的な形状に限定されず、不規則な形状であってもよい。
【０１０８】
たとえば、第１サブピクセル１１１の延設方向Ａ１と第４サブピクセル１１４の延設方向Ａ２との夾角は７０°〜１００°であり、さらに、夾角は８０°〜９５°であってもよく、さらに、夾角は９０°（直角）であってもよく、それにより、第１サブピクセル１１１と第４サブピクセル１１４をより大きい面積で形成することにより、出光面積を増加して、発光層パターンを製造するためのマスクの製造中のネッティングを容易にすることができる。たとえば、直角である場合に、上下に数度のずれが許可される。たとえば、９０°から上下に５°のすれを有してもよい。
【０１０９】
図５Ｂは本開示の１つ又は複数の実施例に係る表示基板を示し、そのピクセル配列構造において、第１サブピクセル１１１の延設方向Ａ１と第４サブピクセル１１４の延設方向Ａ２の夾角は直角であり、且つ、同じピクセルグループ０１において、第１サブピクセル１１１と第４サブピクセル１１４は同じ色のサブピクセルである。
【０１１０】
図６は本開示の１つ又は複数の実施例に係る表示基板を示す。図６に示すように、第２サブピクセル１１２と第３サブピクセル１１３は、菱形又はほぼ菱形の形状であってもよい。ほぼ菱形は、たとえば、角丸菱形、面取りされた菱形等を含むが、これに限定されない。サブピクセルの菱形又はほぼ菱形の形状はピクセルの緊密な配列に対してより有利である。たとえば、第１サブピクセル１１１は、第３サブピクセル１１３と第２サブピクセル１１２の周囲に対称的に囲まれることができ、第１サブピクセル１１１の長辺はいずれも第２サブピクセル１１２に向かい、短辺はいずれも第３サブピクセル１１３に向かい、それにより、ピクセル配列の均一性を最大限に確保する。第１サブピクセル１１１の配列がより均等になり、一定の程度で色滲みが改善され、高ＰＰＩの実現に有利であり、ピクセルの開口率が最大限に高まる。
【０１１１】
各サブピクセルの形状は前記のものに限定されず、必要に応じて調整することができる。面積の最大化は、サブピクセルの形状を決定するときの主な原則である。
【０１１２】
混色を回避するために、異なる色のサブピクセルの間隔は、パターニングプロセスの最小プロセス間隔ｄよりも大きなければならず、さらに、ある特別のプロセスによる対称性要求、たとえば、ＦＭＭネッティングでは、穴開けパターン及び分布の対称性が望ましいことを考慮すると、第１サブピクセルと第４サブピクセルの形状は、それぞれ底角が直角である対称的な五角形であってもよい（図２Ｅを参照）。これでわかるように、対称的な形状のサブピクセルの隣接するピクセルグループ間の第２、第３サブピクセルの間隔は、他の異なる色のサブピクセルの間隔（最小プロセス間隔ｄ）よりも顕著に大きく、すなわち、設計には利用可能な面積がある。ＦＭＭネッティング技術には対称性に敏感でない（ＣＦなど）他のプロセスが許可又は採用される場合、非対称的なサブピクセルの形状を採用してサブピクセル面積の最大化を実現することができる。
【０１１３】
図７Ａ及び図７Ｂは、本開示の１つ又は複数の実施例に係る表示基板におけるピクセル配列構造を示す。図７Ａ及び図７Ｂに示すように、非対称的なサブピクセルの形状の採用が許可される条件において、パターニングプロセスの最小プロセス間隔ｄによって、第２サブピクセル１１２と第３サブピクセル１１３の形状は、直角台形又は鋭角が切り取られた直角台形であってもよく、それにより面積を最大化する。
【０１１４】
図７Ａに示すように、第２サブピクセル１１２と第３サブピクセル１１３の形状はいずれも直角台形であるため、第２サブピクセル１１２と第３サブピクセル１１３の形状がいずれも六角形である（底角が直角である２つの対称的な五角形を組み合わせた六角形）場合に対して、第２サブピクセル１１２と第３サブピクセル１１３の鋭角部１９０は、第２サブピクセル１１２と第３サブピクセル１１３の面積をさらに増加することができ、それにより、ピクセルグループ内の空間利用率をさらに向上させる。該ピクセル配列構造は、ピクセルグループ内の空間利用率を向上させることができる。
【０１１５】
図７Ｂに示すように、第２サブピクセル１１２と第３サブピクセル１１３の形状は、いずれも鋭角が切り取られた二等辺台形である。それにより、プロセス精度が一定である場合に、つまり、第１サブピクセル１１１と第２サブピクセル１１２及び第３サブピクセル１１３との距離が一定である場合、第２サブピクセル１１２と第３サブピクセル１１３の面積が増加され、ピクセルグループ内の空間利用率が高まる。
【０１１６】
本開示の１つ又は複数の実施例に係る表示基板におけるピクセル配列構造によれば、第２サブピクセル１１２と第３サブピクセル１１３の形状は、二等辺台形、六角形、菱形の少なくとも１つを含み、第２サブピクセル１１２は、五角形、長方形、ほぼ長方形の少なくとも１つを含む。ほぼ長方形は、たとえば、角丸長方形を含むが、これに限定されない。
【０１１７】
図８は本開示の１つ又は複数の実施例に係る表示基板を示す。図８に示すように、同じ行のピクセルグループにおいて、第３サブピクセル１１３と第１サブピクセル１１１は、第１駆動線ＤＬ１によって駆動されてもよく、第２サブピクセル１１２と第４サブピクセル１１４は第２駆動線ＤＬ２によって駆動されてもよい。第１駆動線ＤＬ１はＥ１方向に沿って延設され、第２駆動線ＤＬ２はＥ１方向に沿って延設される。たとえば、Ｅ１方向は第１方向Ｘに平行である。
【０１１８】
図８に示すように、奇数列のピクセルグループにおける第１サブピクセル１１１と第４サブピクセル１１４は、第１データ線ＤＴ１を介してデータ信号を入力し、隣接する２本の第１データ線ＤＴ１の間に位置する第２サブピクセル１１２と第３サブピクセル１１３は、第２データ線ＤＴ２を介してデータ信号を入力する。たとえば、データ信号は、電圧及び／又は電流を含む。第１データ線ＤＴ１はＥ２方向に沿って延設され、第２データ線ＤＴ２もＥ２方向に沿って延設され、Ｅ２方向は第２方向Ｙに平行である。
【０１１９】
図９は表示基板の模式図を示す。該表示基板において、第１方向Ｘでの各サブピクセルの幅が異なる。各サブピクセルの幅が異なるため、異なる視野で見るとき、色かぶりが発生しやすい。
【０１２０】
図１０は本開示の１つ又は複数の実施例に係る表示基板の模式図を示す。第１方向Ｘに沿って、第１サブピクセル１１１、第２サブピクセル１１２、第３サブピクセル１１３、及び第４サブピクセル１１４の第１方向Ｘでの幅は同じである。それにより、異なる視野で見るときの視野の色かぶりを減少することができる。
【０１２１】
たとえば、１つのピクセルユニットグループは２つのピクセルユニットを含み、たとえば、第１サブピクセル１１１と第２サブピクセル１１２は１つのピクセルユニットを形成し、第３サブピクセル１１３と第４サブピクセル１１４は別のピクセルユニットを形成する。各ピクセルユニットは、それに隣接する第３サブピクセル１１１又は第４サブピクセル１１４を共有することで、フルカラー表示を実現することができる。サブピクセルを共有する方式により表示を実現する。ピクセルユニットの分割方式が上記の説明に限定されない。ここでのピクセルユニットは仮想ピクセルと呼称されてもよい。仮想ピクセルの分割は駆動方式に関連する。仮想ピクセルの具体的な分割方式は、実際の駆動方式によって決定されることができ、本開示はこれを特に限定しない。
【０１２２】
図１１は本開示の１つ又は複数の実施例に係る表示基板の模式図を示す。図１１に示すように、表示基板は、ピクセルグループ０１における第１サブピクセル１１１と第４サブピクセル１１４との間に位置する第３スペーサ０１０３を備える。たとえば、第１サブピクセル１１１と第４サブピクセル１１４の両方は緑色サブピクセルであってもよいが、これに限定されない。
【０１２３】
側面視野では、各サブピクセルの発光が第３スペーサ０１０３によって遮断されず、それにより、白い画面を表示するとき、左右視野での色かぶりが対称的ではないという現象をある程度で改善し、画質及び表示効果を向上させる。第３スペーサ０１０３を設置することにより、左右方向における各サブピクセルの出光に対する遮断が一致しないという問題を基本的に解消し、さらに、左右角度による色かぶりが対称的ではないという現象を大幅に解消することができ、上下方向の場合、第３スペーサが第１サブピクセルと第４サブピクセルのみを遮断するため、第１サブピクセルと第４サブピクセルを遮断することにより角度による色かぶりが発生しても、上下の２つの方向において、角度が同じ場合の第１サブピクセルと第４サブピクセルに対する遮断は一致するため、角度による色かぶりが対称的ではないという現象は存在しない。たとえば、第３スペーサ０１０３の大きさ及び厚さを調節することにより、第１サブピクセル１１１と第４サブピクセル１１４に対する遮断程度を調整し、さらに上下方向での角度による色かぶり程度を調節することができる。
【０１２４】
図１１に示すように、第３スペーサ０１０３の延設方向Ｅ０３は、第１サブピクセル１１１の中心Ｃ１と第４サブピクセル１１４の中心Ｃ４の連結線ＣＬ０に垂直であるが、これに限定されない。
【０１２５】
図１１に示すように、第３スペーサ０１０３の第１方向Ｘでの長さは、第１サブピクセル１１１と第４サブピクセル１１４の少なくとも一方の第１方向Ｘでの長さよりも大きい。
【０１２６】
図１１に示すように、第１サブピクセル１１１と第４サブピクセル１１４の形状はいずれも五角形であり、五角形は、１組の平行な対辺及び１本の垂直辺を含み、垂直辺は１組の平行な対辺に垂直である。第３スペーサ０１０３は五角形の垂直辺に平行である。
【０１２７】
図１２は本開示の一実施例に係る表示基板の断面図である。図１２に示すように、該構造は、ベース基板１００１と、ベース基板１００１に順に配置される緩衝層００２、第１ゲート絶縁層００３、第２ゲート絶縁層００４、層間誘電体層００５、平坦化層００６及びピクセル画定層００７と、を備える。図１２からわかるように、サブピクセルの下方には、ゲート３０２、活性層３０１、及びドレイン３０３を備える薄膜トランジスタ構造がある。該薄膜トランジスタは、ピクセル駆動回路における１つの薄膜トランジスタであってもよく、該薄膜トランジスタと他の部材との接続関係は、具体的なピクセル回路の設置に応じて設置されてもよく、ここで詳細な説明を省略する。また、ドレイン３０３と同じ層の位置には、信号線３０４が含まれてもよく、該信号線３０４は、ピクセル回路の設置に応じて、データ線又はゲート線などの特定の機能を持つ信号線として使用され得る。図１２からわかるように、ピクセル画定層００７は、サブピクセルを画定するための開口を含んでもよい。サブピクセルの陽極４０３と第３サブピクセルの発光層５０３は、ピクセル画定層００７の開口に位置する。なお、表示基板の構造は図１２に限定されない。
【０１２８】
たとえば、陽極４０３と発光層５０３は互いに接触し、それにより、互いに接触する部分は発光層を発光駆動することができ、従って、陽極４０３と発光層５０３の互いに接触する部分は、サブピクセルの発光可能な有効部分である。ここで、陽極４０３がピクセル電極として使用され、それにより、異なるサブピクセルに異なるデータ電圧を印加することができる。しかし、本開示の実施例では、サブピクセルのピクセル電極として使用される電極が陽極に限定されず、発光ダイオードの陰極をピクセル電極として使用してもよい。従って、本開示の実施例では、サブピクセルの形状は、ピクセル電極と発光層が互いに接触する部分の形状であってもよい。たとえば、各サブピクセルに対して、ピクセル電極の面積が発光層の面積よりもわずかに大きくてもよく、又は発光層の面積がピクセル電極の面積よりもわずかに大きくてもよく、本開示の実施例は、これを特に限定しない。たとえば、ここでの発光層は、電界発光層と、正孔注入層、正孔輸送層、電子注入層及び電子輸送層等の電界発光層の両側に位置する他の機能層とを備えてもよい。いくつかの実施例では、ピクセルの形状もピクセル画定層によって定義されてもよい。たとえば、発光ダイオードの下部電極（たとえば、陽極）がピクセル画定層の下方に設置されてもよく、ピクセル画定層はピクセルを画定するための開口を備え、該開口は下部電極の一部を露出させ、発光層が上記ピクセル画定層の開口に形成されたとき、発光層は下部電極に接触し、それにより、この部分で発光層を発光駆動することができる。従って、この場合に、ピクセル画定層の開口はサブピクセルの形状を定義する。
【０１２９】
たとえば、ピクセル回路は、ゲート、活性層、及びソース・ドレインを有する少なくとも１つのトランジスタを備える。一例では、信号線は、その下方の絶縁層を貫通するビアを介して対応するトランジスタのソース又はドレインに電気的に接続される。一例では、トランジスタの活性層はポリシリコン層によって形成され、活性層のチャネル領域の両側に、ポリシリコン層が導体化されてソース・ドレインを形成する。たとえば、前記信号線は、ビアを介して、導体化されてなるポリシリコンソース又はドレインに電気的に接続される。たとえば、トランジスタはトップゲートトランジスタであり、前記信号線を対応するトランジスタのソース又はドレインに電気的に接続するためのビアは、ゲート金属層とデータ金属層を貫通し、且つ前記ゲート金属層とデータ金属層の金属パターンの一部は、ビアを介する電気的接続の中継コネクタとして使用されてもよいが、本開示の実施例はこれに限定されない。
【０１３０】
たとえば、本開示の実施例に説明された各種のサブピクセルの形状については、いずれもおおよその形状であり、発光層又は各種の電極層を形成するときに、サブピクセルの縁部が厳密に直線であり、角が厳密に角状であることを確保することができない。たとえば、発光層はマスクによって蒸着プロセスで形成されてもよいので、その角部が角丸形状であってもよい。ある場合に、メタルエッチングでは抜き勾配を有し、従って、蒸着プロセスでサブピクセルの発光層を形成するとき、発光層の一角部が除去される可能性がある。たとえば、本開示の実施例では、各サブピクセルの形状はいずれも角丸パターンである。
【０１３１】
たとえば、図２Ａに示すように、１つのピクセルグループにおいて、第１サブピクセル１１１と第２サブピクセル１１２は、色が異なるサブピクセルであり、ピクセルＰを形成し、第３サブピクセル１１３と第４サブピクセル１１４は、色が異なるサブピクセルであり、ピクセルＰを形成し、画像を表示するときに、カラー表示するために周囲の他のピクセルのサブピクセルを利用する必要がある。たとえば、第１サブピクセル１１１と第４サブピクセル１１４は緑色サブピクセルであり、第２サブピクセル１１２は赤色サブピクセルであり、第３サブピクセル１１３は青色サブピクセルである。たとえば、赤色サブピクセルと緑色サブピクセルは１つのピクセルを形成し、青色サブピクセルと緑色サブピクセルは１つのピクセルを形成する。ここでのピクセルＰは、２色のサブピクセルのみを含み、カラー表示するために周囲の他のピクセルのサブピクセルを利用する必要がある。従って、ここで、ピクセルＰが仮想ピクセルと呼称されてもよい。解像度が高い場合、緑色サブピクセルは、各ピクセルの感知された輝度中心の位置に対して決定的な役割を果たす。たとえば、赤色サブピクセルと緑色サブピクセルで形成されたピクセルの輝度中心は、赤色サブピクセルと緑色サブピクセルの間に位置して、緑色サブピクセルにより近く、青色サブピクセルと緑色サブピクセルで形成されたピクセルの輝度中心は、青色サブピクセルと緑色サブピクセルの間に位置して、緑色サブピクセルにより近い。
【０１３２】
たとえば、図２Ａに示すように、第２サブピクセルと第３サブピクセルの形状は全て、３組の対辺がいずれも平行である六角形であり、第１サブピクセルと第４サブピクセルの形状は全て五角形であり、五角形は１組の平行な対辺及び１本の垂直辺を含み、垂直辺は１組の平行な対辺に垂直であり、第１サブピクセルと第４サブピクセルの垂直辺が隣接して設置され、第２サブピクセルの１組の長い平行な対辺、第３サブピクセルにおける１組の長い平行な対辺、第１サブピクセルにおける１組の平行な対辺、及び第４サブピクセルにおける１組の平行な対辺は、平行である。
【０１３３】
ピクセル配列構造を設計するときに、サブピクセルは、通常、六角形、五角形、台形又は他の形状などの規則的な形状として設計される。設計するときに、サブピクセルの中心は上記規則的な形状の幾何学的中心であってもよい。しかしながら、実際の製造プロセスでは、形成されたサブピクセルの形状は、一般的に、上記設計された規則的な形状から一定の偏差がある。たとえば、上記規則的な形状の各角が丸い角になる可能性があり、従って、サブピクセルの形状は角丸パターンであってもよい。また、実際に製造されたサブピクセルの形状は、設計された形状から他の変化を有する可能性もある。たとえば、六角形として設計されたサブピクセルの形状は、実際に製造するときには、ほぼ楕円形になる可能性がある。従って、サブピクセルの中心は、製造されたサブピクセルの不規則な形状の厳密な幾何学的中心ではない可能性がある。本開示の実施例では、サブピクセルの中心はサブピクセルの形状の幾何学的中心から一定のずれを有してもよい。サブピクセルの中心とは、サブピクセルの幾何学的中心からサブピクセルの縁部の各点までの放射線上の特定の点によって囲まれた領域内の任意の一点であり、該放射線上の特定の点は、該幾何学的中心から該放射線分の長さの１／３だけ離れた箇所にある。該サブピクセルの中心の定義は、規則的な形状のサブピクセルの形状の中心にも、不規則な形状のサブピクセルの中心にも適用できる。
【０１３４】
上記のように、様々な製造誤差により、実際に製造されたサブピクセルの形状は、設計されたサブピクセルの形状から偏差を有する可能性がある。従って、本開示において、サブピクセルの中心の位置、及びサブピクセルの中心と他の対象の位置との間の関係に関しては、一定の誤差を有してもよい。たとえば、サブピクセルの中心の間の連結線又はサブピクセルの中心を通る線は、対応する他の要件（たとえば、延設方向）を満たす限り、上記放射線分の中心によって囲まれる領域を通過すればよい。たとえば、サブピクセルの中心がある線にあるとは、この線が上記放射線の中心によって囲まれる領域を通過することを意味する。
【０１３５】
この他、図面における各サブピクセルの形状は、２本の線分によって形成される厳密な角を含むが、いくつかの実施例では、各サブピクセルの形状は角丸パターンであってもよい。つまり、上記様々な図形の形状に基づき、各サブピクセルの角が丸められる。たとえば、発光層がマスクによって蒸着される場合に、当然、発光層の隅部の部分は角丸形状を形成する可能性がある。
【０１３６】
本開示の少なくとも１つの実施例は上記任意の表示基板を備える表示装置を提供する。従って、異なる視角での色かぶりを改善し、表示品質を向上させることができる。本開示の実施例に与えられるピクセル配列構造の表示パネルを表示装置に使用すると、該表示装置の解像度をさらに高めることができ、さらに、真の高解像度を有する表示装置を提供することができる。そして、本開示の実施例によるピクセル配列構造は、比較的良好な対称性を有し、さらに、ピクセル分布の均一性を向上させ、表示装置の表示効果を向上させることができる。
【０１３７】
たとえば、いくつかの例では、該表示装置は、スマートフォン、タブレットコンピュータ、テレビ、ディスプレイ、ノートパソコン、デジタルフォトフレーム、ナビゲータ等の表示機能を持つ任意の製品又は部材であってもよい。
【０１３８】
なお、以下の点について説明する。
（１）本開示の実施例の図面は本開示の実施例に関する構造のみを示しており、ほかの構造は通常の設計を参照すればよい。
（２）矛盾しない限り、本開示の同じ実施例及び異なる実施例における特徴を互いに組み合わせることができる。
【０１３９】
以上は、本開示の具体的な実施形態に過ぎないが、本開示の保護範囲を限定するものではなく、当業者が本開示に係る技術範囲内を逸脱せずに容易に想到し得る変化や置換は、全て本開示の保護範囲に属する。従って、本開示の保護範囲は特許請求の範囲の保護範囲に準じるべきである。
【図１Ａ】
2021513094.tif 000003
【図１Ｂ】
2021513094.tif 000004
【図１Ｃ】
2021513094.tif 000005
【図２Ａ】
2021513094.tif 000006
【図２Ｂ】
2021513094.tif 000007
【図２Ｃ】
2021513094.tif 000008
【図２Ｄ】
2021513094.tif 000009
【図２Ｅ】
2021513094.tif 000010
【図３Ａ】
2021513094.tif 000011
【図３Ｂ】
2021513094.tif 000012
【図３Ｃ】
2021513094.tif 000013
【図４】
2021513094.tif 000014
【図５Ａ】
2021513094.tif 000015
【図５Ｂ】
2021513094.tif 000016
【図６】
2021513094.tif 000017
【図７Ａ】
2021513094.tif 000018
【図７Ｂ】
2021513094.tif 000019
【図８】
2021513094.tif 000020
【図９】
2021513094.tif 000021
【図１０】
2021513094.tif 000022
【図１１】
2021513094.tif 000023
【図１２】
2021513094.tif 000024
【国際調査報告】
2021513094.tif 000025
2021513094.tif 000026
2021513094.tif 000027
2021513094.tif 000028